(57)【要約】  【課題】本発明は、放射性核種を含む廃液の分離回収装置及びそれを用いた分離回収方法を提供する。  【解決手段】  放射性核種を含む廃液混合物が貯蔵された廃液貯蔵部；前記廃液貯蔵部を加熱して廃液貯蔵部内の廃液混合物の中で放射性核種を含む低沸点廃液を蒸発させる加熱部；前記加熱部の上部と連結されて、前記加熱部によって加熱されるによって蒸発した蒸発廃液を凝縮させることができる凝縮チャンバー；前記凝縮チャンバーと連結されて、前記凝縮チャンバーで凝縮された凝縮物を回収する凝縮物回収部、及び前記凝縮チャンバーで凝縮された凝縮物を凝縮物回収部に移送するが、一端部が凝縮物回収部の凝縮物内に浸漬した移送管を含み、前記蒸発した低沸点廃液が前記加熱部と凝縮物回収部の圧力差によって前記加熱部から凝縮物回収部に移動して、前記加熱部で蒸発した放射性核種が前記凝縮物回収部で回収された凝縮物に溶解して回収されることを特徴とする放射性核種を含む廃液の分離回収装置を提供する。【選択図】図１
2014109570.tif 000002
【特許請求の範囲】
【請求項１】
放射性核種を含む廃液混合物が貯蔵された廃液貯蔵部、
前記廃液貯蔵部を加熱して廃液貯蔵部内の廃液混合物中の放射性核種を含む低沸点廃液を蒸発させる加熱部と、
前記加熱部の上部と連結され、前記加熱部によって加熱されて蒸発した蒸発廃液を凝縮させることができる凝縮チャンバーと、
前記凝縮チャンバーと連結され、前記凝縮チャンバーで凝縮された凝縮物を回収する凝縮物回収部、及び
前記凝縮チャンバーで凝縮された凝縮物を凝縮物回収部に移送するが、一端部が凝縮物回収部の凝縮物内に浸漬した移送管とを含み、
前記蒸発された低沸点廃液は、前記加熱部と凝縮物回収部の圧力差によって前記加熱部から凝縮物回収部に移動して、
前記加熱部で蒸発された放射性核種は、前記凝縮物回収部で回収された凝縮物に溶解して回収されることを特徴とする放射性核種を含む廃液の分離回収装置。
【請求項２】
前記廃液混合物が、廃油を含む廃洗浄剤または廃蛍光液を含む廃水であることを特徴とする請求項１に記載の放射性核種を含む廃液の分離回収装置。
【請求項３】
前記放射性核種が、三重水素（Ｈ−３）または放射性炭素（Ｃ−１４）であることを特徴とする請求項１に記載の放射性核種を含む廃液の分離回収装置。
【請求項４】
前記分離回収装置が、前記凝縮物回収部と連通して具備される真空ポンプをさらに含むことを特徴とする請求項１に記載の放射性核種を含む廃液の分離回収装置。
【請求項５】
前記分離回収装置が、廃液貯蔵部と加熱部を互いに離隔して具備されるが、前記廃液貯蔵部を加熱部に移送することができる移送装置をさらに含むことを特徴とする請求項１に記載の放射性核種を含む廃液の分離回収装置。
【請求項６】
前記加熱部が、廃液貯蔵部を取り囲む形態で具備され、熱媒体油を用いて前記廃液貯蔵部を間接的に加熱することを特徴とする請求項１に記載の放射性核種を含む廃液の分離回収装置。
【請求項７】
前記分離回収装置が、加熱部及び廃液貯蔵部の温度を測定することができる熱電対をさらに含むことを特徴とする請求項１に記載の放射性核種を含む廃液の分離回収装置。
【請求項８】
前記分離回収装置が、凝縮物回収部を冷却することができる冷却機をさらに含むことを特徴とする請求項１に記載の放射性核種を含む廃液の分離回収装置。
【請求項９】
前記凝縮チャンバーが、外部から内部を観察することができる透明容器であることを特徴とする請求項１に記載の放射性核種を含む廃液の分離回収装置。
【請求項１０】
前記凝縮チャンバーが、一定量以上の蒸発廃液が凝縮されると、凝縮物が凝縮物回収部に移送され得るように傾いた形態で具備されることを特徴とする請求項１に記載の放射性核種を含む廃液の分離回収装置。
【請求項１１】
放射性核種を含む廃液混合物を加熱して前記放射性核種を含む低沸点の廃液を蒸発させる工程（工程１）と、
前記工程１で蒸発された低沸点の廃液を凝縮させた後、これを凝縮物回収部で回収する工程（工程２）、及び
前記工程２で回収された凝縮物に移送管の一端部を浸漬させて凝縮物回収部の凝縮物内に蒸発した放射性核種を溶解させる工程（工程３）とを含む請求項１の分離回収装置を用いて放射性核種を含む廃液を分離回収する方法。
【請求項１２】
前記工程１の加熱は、高沸点の廃液は蒸発させないで、低沸点の廃液のみが蒸発することができる温度で遂行されることを特徴とする請求項１１に記載の放射性核種を含む廃液を分離回収する方法。
【請求項１３】
前記工程１の放射性核種が、三重水素（Ｈ−３）及び放射性炭素（Ｃ−１４）であることを特徴とする請求項１１に記載の放射性核種を含む廃液を分離回収する方法。
【発明の詳細な説明】
【技術分野】
【０００１】
本発明は、放射性核種を含む廃液の分離回収装置及びそれを用いた分離回収方法に関するものである。
【背景技術】
【０００２】
原子力施設では、汚染した設備の除染や洗浄のために多様な有機性または無機性洗浄剤が使用されていて、洗浄時に機械装備に残留する廃油が洗浄剤に混合した状態で排出される。また、前記廃油を含む廃洗浄剤のような廃液だけではなく、一定部分の無機廃液を含む有機無機混合廃液の処理は、沈殿剤などを用いて廃液内の汚染物質を沈澱させた後、遠心分離やろ過装置などの分離方法を通じて汚染物質を除去して、有機性液体と無機性液体を一般的な減圧蒸留方法によって分離する方法が、特許文献１及び特許文献２に開示されたことがある。
【０００３】
同時に、特許文献３では、有機性液体と無機性液体を燃焼処理する方法が開示されたことがある。
【０００４】
ここで、上述したような従来の分離方法で有機無機混合廃液を処理する場合には、全体有機無機混合廃液に沈殿剤などの化学剤を過剰に投入すれば十分な沈澱反応効率を得ることができ、沈殿物を除去した後に残留する有機無機混合廃液には沈殿剤が一定量以上混合するため、有機成分と無機成分の完全な分離が容易でないという問題がある。また、有機成分と無機成分を分離した後にも分離した有機成分及び無機成分それぞれに、またはどちらか一方に使用された過剰の沈殿剤が含まれ得るので、分離した成分をリサイクルしたり、効率的に処理・処分することが難しいという問題がある。
【０００５】
一方、原子力施設で発生する廃油を含んだ廃洗浄剤は、ベータ核種である三重水素（Ｈ−３）や放射性炭素（Ｃ−１４）が多く溶解している。ここで、三重水素の場合には３Ｈ２Ｏの三重水の形態で、放射性炭素の場合には１４ＣＯ２、ＣＨ４及びＣ２Ｈ６の形態で混合廃液に溶解していて、前記三重水素及び放射性炭素は一般的な蒸留／凝縮工程を行なっても、その一部が排気ガスを通じて外部に排出されるという問題が発生し得る。したがって、これを防止するために別途の捕集装置を設置するか、別途の排気ガス処理系統に排気ガスを送って処理しているのが実情である。
【０００６】
それで、本発明者らは上述したように原子力施設の機械装備の除染や解体時に発生する廃油を含む廃洗浄剤から廃油と洗浄剤を分離し、ベータ核種である三重水素（Ｈ−３）や放射性炭素（Ｃ−１４）が多く溶解した廃洗浄剤を効果的に処理するための工程を研究中、前記廃洗浄剤を効果的に分離することと同時に前記三重水素及び放射性炭素が外部に排出されることを防止することができる分離装置を開発して本発明を完成した。
【先行技術文献】
【特許文献】
【０００７】
【特許文献１】韓国登録特許第10-0928652号
【特許文献２】韓国登録特許第10-0675941号
【特許文献３】韓国公開特許第10-2005-0109290号
【発明の概要】
【発明が解決しようとする課題】
【０００８】
本発明の目的は、放射性核種を含む廃液の分離回収装置及びそれを用いた分離回収方法を提供することにある。
【課題を解決するための手段】
【０００９】
前記目的を達成するために、本発明は、
放射性核種を含む廃液混合物が貯蔵された廃液貯蔵部、
前記廃液貯蔵部を加熱して廃液貯蔵部内の廃液混合物の中から放射性核種を含む低沸点廃液を蒸発させる加熱部、
前記加熱部の上部と連結され、前記加熱部によって加熱されることによって蒸発した蒸発廃液を凝縮させることができる凝縮チャンバー、
前記凝縮チャンバーと連結され、前記凝縮チャンバーで凝縮された凝縮物を回収する凝縮物回収部、及び
前記凝縮チャンバーで凝縮された凝縮物を凝縮物回収部に移送し、一端部が凝縮物回収部の凝縮物内に浸漬した移送管を含み、
前記蒸発した低沸点廃液は、前記加熱部と凝縮物回収部の圧力差によって前記加熱部から凝縮物回収部に移動して、
前記加熱部で蒸発した放射性核種は前記凝縮物回収部で回収された凝縮物に溶解して回収されることを特徴とする放射性核種を含む廃液の分離回収装置を提供する。
【００１０】
また、本発明は、
放射性核種を含む廃液混合物を加熱して前記放射性核種を含む低沸点の廃液を蒸発させる工程（工程１）と、
前記工程１で蒸発した低沸点の廃液を凝縮させた後、これを凝縮物回収部で回収する工程（工程２）、及び
前記工程２で回収された凝縮物に移送管の一端部を浸漬させて凝縮物回収部の凝縮物内に蒸発した放射性核種を溶解させる工程（工程３）とを含む前記分離回収装置を用いて放射性核種を含む廃液を分離回収する方法を提供する。
【発明の効果】
【００１１】
本発明による放射性核種を含む廃液の分離回収装置は、三重水素、または放射性炭素のような放射性核種を含む廃液混合物を分離して、放射性核種が環境に排出されることを防止することができる。同時に放射性核種が分離した残留廃液は、三重水素と放射性炭素のような揮発性放射性核種をほとんど含まないので、それをリサイクルするか規制免除廃棄物として処理ができ、大部分の三重水素と放射性炭素が含まれた凝縮廃液にはオイルなどの有機廃液が含まれていないので、オイルを含む廃水を処理することができない原発の廃水処理系統でも容易に処理することができるという効果がある。
【図面の簡単な説明】
【００１２】
【図１】本発明による分離回収装置を概略的に示した模式図である。
【図２】温度による放射性炭素の溶解度を示したグラフである。
【発明を実施するための形態】
【００１３】
本発明は、
放射性核種を含む廃液混合物が貯蔵された廃液貯蔵部、
前記廃液貯蔵部を加熱して廃液貯蔵部内の廃液混合物の中で放射性核種を含む低沸点廃液を蒸発させる加熱部、
前記加熱部の上部と連結されて、前記加熱部によって加熱されることによって蒸発した蒸発廃液を凝縮させる凝縮チャンバー、
前記凝縮チャンバーと連結されて、前記凝縮チャンバーで凝縮された凝縮物を回収する凝縮物回収部、及び
前記凝縮チャンバーで凝縮された凝縮物を凝縮物回収部に移送し、一端部が凝縮物回収部の凝縮物内に浸漬された移送管を含み、
前記蒸発された低沸点廃液は、前記加熱部と凝縮物回収部の圧力差によって前記加熱部から凝縮物回収部に移動して、
前記加熱部で蒸発した放射性核種が前記凝縮物回収部で回収された凝縮物に溶解して回収されることを特徴とする、放射性核種を含む廃液の分離回収装置を提供する。
【００１４】
ここで、本発明による分離回収装置の実施例を図１の模式図を通じて概略的に示した。以下、図を参照して本発明による分離回収装置を詳しく説明する。
【００１５】
図１の模式図を参照すると、本発明による分離回収装置は、放射性核種を含む廃液混合物１０が貯蔵された廃液貯蔵部８と、前記廃液貯蔵部８を加熱して廃液貯蔵部内の廃液混合物中の放射性核種を含む低沸点の廃液を蒸発させる加熱部１を含む。また、本発明による分離回収装置は、前記加熱部１の上部と連結された凝縮チャンバー３を含み、前記加熱部１によって廃液貯蔵部８が加熱されることによって放射性核種を含む低沸点の廃液が蒸発して、蒸発した廃液は前記凝縮チャンバー３に移送されて凝縮される。さらに、本発明による分離回収装置は前記凝縮チャンバー３で凝縮された凝縮物が移送され回収される凝縮物回収部４を含み、前記凝縮物回収部４では凝縮チャンバー３から移送された凝縮物を回収して分離する。
【００１６】
一方、本発明による分離回収装置は、前記凝縮チャンバー３で凝縮された凝縮物を凝縮物回収部４に移送するが、一端部が凝縮物回収部の凝縮物内に浸漬した移送管を含む。
【００１７】
前記加熱部１によって廃液貯蔵部８が加熱されることによって放射性核種を含む低沸点の廃液が蒸発して前記凝縮チャンバー３で凝縮されるが、放射性核種は前記凝縮チャンバー３で凝縮されないで気体状で存在するようになる。この時、気体状で存在する放射性核種は凝縮チャンバー３から移送された凝縮物回収部４内の凝縮物に溶解して分離濃縮され得る。そのために前記移送管の一端部は凝縮物回収部の凝縮物内に浸漬して移送管から排出される放射性核種が凝縮物回収部４の下部から凝縮物と接触して気泡の形態で上昇(bubbling)しながら凝縮物に溶解するようにする。
【００１８】
本発明による分離回収装置は、前記加熱部１によって廃液貯蔵部８が加熱されることによって加熱部内の気圧は凝縮物回収部４の気圧より大きくなり、それによって蒸発した低沸点の廃液が凝縮チャンバー３に移動するようになる。
【００１９】
すなわち、前記蒸発した低沸点廃液は、前記加熱部１と凝縮物回収部４の圧力差によって前記加熱部から凝縮物回収部に移動して、移動経路中で前記凝縮チャンバー３に移動した蒸発廃液は気体の温度が下がりながら移動過程中に凝縮が起きて前記凝縮チャンバーに凝縮物として生成される。
【００２０】
このような蒸発した廃液の移動現象は、凝縮チャンバー３の上部で粒子化された液滴が右側に移動しながら沈降して、また下部では凝縮物が持続的に累積して凝縮された凝縮物が前記凝縮物回収部４に持続的に移送されることによって遂行される。同時に、前記蒸発した廃液の移動現象は、廃液混合物１０中の蒸発し得る低沸点廃液がすべて蒸発するまで続く。
【００２１】
一方、前記廃液混合物１０は、廃油を含む廃洗浄剤または廃蛍光液を含む廃水であり得る。すなわち、上述したように、原子力施設では汚染した設備の除染や洗浄のために多様な有機性または無機性洗浄剤が使用されていて、ここで機械装備に残留する廃油が洗浄時に洗浄とともに混合した状態で排出され得る。
【００２２】
同時に、廃蛍光液、例えば原子力施設で勤める勤務者から排出される尿は水とともに混合した状態で排出され得る。
【００２３】
このように原子力施設から排出される廃油を含む廃洗浄剤または廃蛍光液を含む廃水には、ベータ核種である三重水素（Ｈ−３）や放射性炭素（Ｃ−１４）が多く溶解している。ここで、三重水素の場合には３Ｈ２Ｏの三重水の形態で、放射性炭素の場合には１４ＣＯ２、ＣＨ４及びＣ２Ｈ６の形態で廃液混合物に溶解していて、前記三重水素、放射性炭素のような核種は、一般的な蒸留／凝縮工程を行なってもその中の一部が排気ガスを通じて外部に排出される問題が発生し得ます。したがって、これを防止するための別途の捕集装置を設置するか、別途の排気ガス処理系統に排気ガスを送って処理しているのが実情である。
【００２４】
一方、本発明による分離回収装置は、廃油を含む廃洗浄剤または廃蛍光液を含む廃水である廃液混合物１０を加熱部１を通じて加熱するが、相対的に低沸点である廃洗浄剤または廃水のみを放射性核種とともに蒸発させて、蒸発した放射性核種は前記凝縮物回収部４で回収した凝縮物に溶解させる。これによって従来の処理技術で別途の捕集装置を設置したり、別途の処理系統を必要としたりした問題を解決することができる。
【００２５】
本発明による分離回収装置は、前記凝縮物回収部４と連通して具備される真空ポンプ５をさらに含むことができる。前記真空ポンプ４は、凝縮物回収部４内部を減圧するためのもので、これを通じて前記加熱部１と凝縮物回収部４の圧力差をさらに付与することができ、圧力差がさらに大きくなることによって蒸発した廃液の移動現象がさらに促進することができる。
【００２６】
また、本発明による分離回収装置は、前記廃液貯蔵部８と加熱部１を互いに離隔して具備することができ、その場合本発明による分離回収装置は前記廃液貯蔵部８を加熱部１に移送することができる移送装置をさらに含むことができる。
【００２７】
ここで、前記移送装置は、例えば図１に図示したように廃液貯蔵部移送シリンダー１１と空気圧縮機１２から成り得、前記空気圧縮機を通じてシリンダーを駆動することで廃液貯蔵部が加熱部に移送され得る。
【００２８】
しかし、前記移送装置が図１に図示した移送シリンダー及び空気圧縮機に制限されるのではなく、廃液貯蔵部を移送するのに相応しい移送手段を適切に選択して用いることができる。
【００２９】
本発明による分離回収装置において、前記加熱部１は廃液貯蔵部８を取り囲む形態で具備することができ、特に前記加熱部１は熱媒体油を用いて前記廃液貯蔵部を間接的に加熱することができる。
【００３０】
前記熱媒体油を用いて廃液貯蔵部を間接的に加熱することは、温度を精密に制御することができ、間接的に加熱が行なわれ得るので過熱による火事の危険性がないという効果がある。これによって本発明による分離回収装置が、沸点差を用いて廃液混合物を分離することがさらに容易かつ安全に行なうことができる。
【００３１】
すなわち、例えば前記廃液混合物が廃油を含む廃洗浄剤の場合、前記加熱部１を通じて相対的に低沸点を有する廃洗浄剤のみを蒸発させなければならない。しかし、高沸点の廃油が廃洗浄剤とともに蒸発される場合、廃油及び廃洗浄剤を分離することができないので、低沸点の廃洗浄剤のみが蒸発するように加熱温度を細かく制御することが求められる。
【００３２】
そこで、前記加熱部１は熱媒体油を用いて前記廃液貯蔵部を間接的に加熱して高沸点の廃液は絶対に蒸発させないで、低沸点の廃液のみが蒸発するように温度を細かく制御して廃液を加熱して、これを通じて低沸点の廃液のみを効果的に分離し出すことができる。
【００３３】
一方、前記加熱部１が熱媒体油を用いて前記廃液貯蔵部８を加熱することによって、本発明による分離回収装置は、熱媒体油貯蔵部２及び前記熱媒体油貯蔵部に具備された圧力計６をさらに含むことができる。これを通じて前記熱媒体油を前記加熱部１に適切に供給して廃液貯蔵部８を加熱することができる。
【００３４】
上述したように、前記加熱部１は精密な温度制御を通じて廃液貯蔵部８を加熱しなければならない。それで、本発明による分離回収装置は、前記加熱部１及び廃液貯蔵部８の温度を測定することができる熱電対９を含む。前記熱電対を含むことによってリアルタイムで加熱部１及び廃液貯蔵部８の温度を測定することができ、それを通じて高沸点の廃液は絶対に蒸発させないで、低沸点の廃液のみが蒸発するように温度を精密に制御して廃液を加熱することができる。
【００３５】
本発明による分離回収装置は、前記凝縮物回収部４を冷却することができる冷却機７をさらに含むことができる。放射性核種の一種である放射性炭素の場合、１４ＣＯ２、ＣＨ４及びＣ２Ｈ６の形態で存在し、図２の溶解度グラフに示したように、温度が低いほどさらに溶解度が高くなることを分かる。すなわち、本発明による分離回収装置が冷却機７をさらに含むことによって凝縮物回収部４の温度をさらに下げることができ、それによって放射性炭素のような放射性核種を凝縮物にさらに溶解させることができる。
【００３６】
ここで、前記冷却機７は、冷媒を用いて凝縮物回収部を間接的に冷却することができる、すなわち、前記冷却機が冷媒を用いて凝縮物回収部の外部表面を冷却して凝縮物回収部内部の温度を下げることができる。しかし、前記冷却機がこれに制限されるのではなく、凝縮物回収部内部温度を下げることができる適切な冷却手段を前記冷却機として適用することができる。
【００３７】
本発明による分離回収装置において、前記凝縮チャンバー３は外部から内部を観察することができる透明容器であることが好ましい。前記凝縮チャンバー３が透明であることによって外部からも蒸発した廃液の凝縮及び移動現象を肉眼で観察することができ、それによって凝縮及び移動現象が完了する時点を正確に把握することができる。
【００３８】
すなわち、前記凝縮チャンバー３が透明容器であることによって凝縮物が凝縮物回収部４に移送されるのを肉眼で観察することができ、それと同時に凝縮チャンバーの凝縮液上部では霧の形態で気相凝縮が起きることを観察することができ、前記二つの現象が終わる時に、低沸点液体の移送が終わったことが分かる。
【００３９】
同時に、前記凝縮チャンバー３は一定量以上の蒸発廃液が凝縮されると、凝縮物が凝縮物回収部４に移送され得るように傾いた形態で具備することができる。すなわち、図１に示したように、凝縮チャンバー３が傾いた形態で具備されると凝縮物が一定量以上累積した後、持続的に凝縮物回収部４に移送され得る。
【００４０】
上述のように、本発明による放射性核種を含む廃液の分離回収装置は、三重水素、または放射性炭素のような放射性核種を含む廃液混合物を加熱するが、低沸点の廃液のみが蒸発する温度で前記廃液混合物を加熱して、これを通じて廃液混合物を効率的に分離することができる。また、廃液混合物を分離するのと同時に、廃液混合物に含まれている放射性核種を凝縮物に溶解させて回収することができるので、別途の捕集装置または別途の処理系統なしでも放射性核種が外部環境に排出されることを防止することができる。
【００４１】
同時に、蒸発しないで残留する廃液は、放射性核種をほとんど含まないのでこれをリサイクルするか非放射性廃棄物として処理が可能で、大部分の放射性核種が濃縮された凝縮物にはオイルなどが含まれていないので、オイルなどを含有した廃水を処理することができない原発の廃水処理系統でも容易に処理することができるという効果がある。
【００４２】
本発明は、
放射性核種を含む廃液混合物を加熱して前記放射性核種を含む低沸点の廃液を蒸発させる工程（工程１）と、
前記工程１で蒸発された低沸点の廃液を凝縮させた後、これを凝縮物回収部で回収する工程（工程２）、及び
前記工程２で回収された凝縮物に移送管の一端部を浸漬させて凝縮物回収部の凝縮物内に蒸発した放射性核種を溶解させる工程（工程３）とを含む前記分離回収装置を用いて放射性核種を含む廃液を分離回収する方法を提供する。
【００４３】
以下、本発明による分離回収方法を各工程別に詳しく説明する。
【００４４】
本発明による分離回収方法において、工程１は放射性核種を含む廃液混合物を加熱して前記放射性核種を含む低沸点の廃液を蒸発させる工程である。
【００４５】
前記工程１の廃液混合物は、低沸点の廃液及び高沸点の廃液が混合した混合物であって、前記廃液の沸点差を用いて廃液混合物を適正な温度で加熱することによって低沸点の廃液を蒸発させて分離することができる。
【００４６】
ここで、前記廃液混合物は廃油を含む廃洗浄剤または廃蛍光液を含む廃水であり得る。上述したように、原子力施設では汚染した設備の除染や洗浄のために多様な有機性または無機性洗浄剤が使用されているので、洗浄時に機械装備に残留する廃油が洗浄剤に混合した状態で排出され得る。
【００４７】
同時に、廃蛍光液、例えば原子力施設で勤める勤務者から排出される尿は、水とともに混合した状態で排出され得る。
【００４８】
このように原子力施設から排出される廃油を含む廃洗浄剤または廃蛍光液を含む廃水には、ベータ核種である三重水素（Ｈ−３）や放射性炭素（Ｃ−１４）が多く溶解されている。ここで、三重水素の場合には３Ｈ２Ｏの三重水の形態で、放射性炭素の場合には１４ＣＯ２、ＣＨ４及びＣ２Ｈ６の形態で廃液混合物に溶解されていて、前記三重水素、放射性炭素のような核種は一般的な蒸留／凝縮工程を行なっても、その一部が排気ガスを通じて外部に排出される問題が発生し得る。したがって、これを防止するための別途の捕集装置を設置するか、別途の排気ガス処理系統に排気ガスを送って処理しているのが実情である。
【００４９】
それで、前記工程１では廃油を含む廃洗浄剤または廃蛍光液を含む廃水である廃液混合物を加熱するが、相対的に低沸点である廃洗浄剤または廃水のみを放射性核種とともに蒸発させることができる温度で加熱を精密に行ないながら、それを通じて高沸点の廃液は蒸発させないで低沸点の廃液のみを蒸発させることができる。
【００５０】
本発明による分離回収方法において、工程２は前記工程１で蒸発した低沸点の廃液を凝縮させた後、これを凝縮物回収部で回収する工程である。
【００５１】
前記工程１で蒸発した低沸点の廃液は凝縮チャンバーに移動して、蒸発した廃液の移動中に凝縮が遂行されることによって前記凝縮チャンバーに凝縮物が生成される。凝縮チャンバーに生成された凝縮物は、凝縮チャンバーから移送管を通じて凝縮物回収部に移送され回収される。
【００５２】
本発明による分離回収方法において、工程３は前記工程２で回収された凝縮物に移送管の一端部を浸漬させて凝縮物回収部の凝縮物内に蒸発した放射性核種を溶解させる工程である。
【００５３】
放射性核腫、例えば放射性炭素の場合、１４ＣＯ２、ＣＨ４及びＣ２Ｈ６の形態で存在し、前記工程２の凝縮物に容易に溶解されることができる。それで、前記工程３では移送管の一端部を回収された凝縮物内に浸漬させて、前記移送管から移送される放射性核種は凝縮物回収部の下部から凝縮物と接触して気泡の形態で上昇(bubbling)しながら凝縮物に溶解する。
【００５４】
一方、図２の溶解度グラフに示したように、温度が低いほどさらに溶解度が高くなることが分かるので、前記工程３の放射性核種溶解は冷却機を通じて凝縮物回収部の温度を下げた状態で遂行することが好ましく、これを通じて放射性炭素のようなガス状放射性核種を凝縮物にさらに効果的に溶解させることができる。
【００５５】
本発明による放射性核種を含む廃液を分離回収する方法は、図１に示したような分離回収装置を用いて放射性核種を含む廃液を分離回収する方法で、三重水素、または放射性炭素のような放射性核種を含む廃液混合物を加熱するが、低沸点の廃液のみが蒸発する温度で前記廃液混合物を加熱する。前記加熱を通じて高沸点廃液と低沸点廃液を分離して、低沸点廃液を凝縮させることで廃液混合物を分離回収することができ、前記低沸点廃液を蒸発及び凝縮させて分離し、凝縮された低沸点廃液に放射性炭素のような放射性核種を溶解させて回収することができるので、別途の捕集装置または別途の処理系統なしでも放射性核種が外部環境に排出されることを防止することができる効果がある。
【００５６】
同時に、本発明による分離回収方法において、蒸発しないで残留する高沸点廃液は放射性核種をほとんど含まないのでこれをリサイクルするか非放射性廃棄物として処理ができ、大部分の放射性核種が濃縮された凝縮物は、オイルなどが含有された廃水を処理することができない原発の廃水処理系統でも容易に処理することができる効果がある。
【００５７】
以下、本発明を実施例を通じてより具体的に説明する。しかし、下記の実施例は本発明を説明するためだけのものであって、下記の実施例によって本発明の権利範囲が限定されるのではない。
【００５８】
＜実施例１＞
図１に示したような分離回収装置を用いて放射性核種を含む廃液混合物を分離した。
【００５９】
ここで、前記廃液混合物としては、原子力発電所で機械類のエンジンオイルなどに使用されている潤滑油であるＲｅｇａｌ４６と、その洗浄時に使用される洗浄剤ＳＣ−１０００の組成を下記の表１のように混合して模擬廃液混合物を製造し、併せて、実際の廃蛍光液の組成と同じように下記の表１に示した組成で廃蛍光液を含む模擬廃液混合物を製造した。
【００６０】
製造された前記模擬廃液混合物２ｌを廃液貯蔵部に入れて廃液貯蔵部移送装置である廃液貯蔵部移送シリンダーを通じて加熱器に廃液貯蔵部を移送した。
【００６１】
以後、真空ポンプを用いて凝縮物回収部内部を絶対圧で−０．２ＭＰａ（絶対圧で約８／１０気圧）まで減圧した後、バルブを閉めて真空状態を維持し、熱媒体油を用いて加熱部内部の温度が１５０〜１６０℃に維持されるように間接加熱を行なって廃液混合物中の低沸点廃液である洗浄剤と水のみが蒸発するようにした。
【００６２】
ここで、前記加熱を行なうのと同時に冷却機(Chiller)を用いて冷媒を循環させることにより凝縮物回収部の温度を蒸発する廃液の種類によって、５〜１０℃の温度で適切に維持して廃液混合物の分離回収を行ない、前記分離回収の結果を下記の表１に示した。
【００６３】
（表１）
2014109570.tif 000003
【００６４】
前記表１に示したように、廃液混合物の分離が完全に終わるまで分離装置内の圧力が初期の０．０１５ＭＰａから約０．１９ＭＰａに多少増加する傾向を示したが、蒸発した廃液が移送されるのに十分な減圧状態を維持することができることが分かる。併せて、運転が終わった時点で廃液混合物の分離効率はすべて９９％以上を示し得ることを確認することができた。
【００６５】
さらに、表１に示したように、廃蛍光液の場合は同一な組成で加熱部の加熱温度を異にした時、分離回収工程の所要時間が変動することが分かるが、条件が変わっても分離効率はいつも９９％以上を示し得ることが分かった。
【符号の説明】
【００６６】
１：加熱部
２：熱媒体油貯蔵部
３：凝縮チャンバー
４：凝縮物回収部
５：真空ポンプ
６：圧力計
７：冷却機
８：廃液貯蔵部
９：熱電対
１０：廃液混合物
１１：廃液貯蔵部移送シリンダー
１２：エアーコンプレッサー
１３：バルブ
１４：凝縮物移送容器
【図１】
2014109570.tif 000004
【図２】
2014109570.tif 000005